(57)【要約】      （修正有）【課題】インテリアと調和させやすく、さらに製造しやすく使用しやすいティシューペーパー収納体を提供する。【解決手段】底面部、取出口が形成される天面部１１、一対の長側面部１３及び一対の短側面部１４を有する直六面体の収納箱１０内に、複数のティシュペーパーの束が収納されているティシュペーパー収納体であって、収納箱外面にマットニスの塗布による粗面化部４１とグロスニスの塗布による平坦化部４２とを有する。【選択図】図１
2019163081.tif 000002
【特許請求の範囲】
【請求項１】
底面部、取出口が形成される天面部、一対の長側面部及び一対の短側面部を有する直六面体の収納箱内に、複数のティシュペーパーの束が収納されているティシュペーパー収納体であって、収納箱外面にマットニスの塗布による粗面化部とグロスニスの塗布による平坦化部とを有する、ことを特徴とするティシュペーパー収納体。
【請求項２】
マットニスが塗布された部分の上にグロスニスが塗布された平坦化部を有する請求項１記載のティシュペーパー収納体。
【請求項３】
グロスニスが模様印刷された平坦化部を有する請求項１又は２記載のティシュペーパー収納体。
【請求項４】
平坦化部及び粗面化部は収納箱原紙の地色が視認可能である請求項１〜３の何れか１項に記載のティシュペーパー収納体。
【請求項５】
底面部に平坦化部を有する請求項１〜４の何れか１項に記載のティシュペーパー収納体。
【請求項６】
各短側面部、底面部及び一方の長側面部に平坦化部を有する請求項１〜５の何れか１項に記載のティシュペーパー収納体。
【請求項７】
天面部における短側面部との間の稜線から５ｃｍ以内の領域の６０％以下の範囲、及び前記一方の長側面部と対になる他方の長側面部であって短側面部との間の稜線から５ｃｍ以内の領域の６０％以下の範囲が平坦化部とされている、請求項６記載のティシュペーパー収納体である。
【請求項８】
収納箱の各面部間の稜線に沿って平坦化部が配されている請求項１〜７の何れか１項に記載のティシュペーパー収納体。
【発明の詳細な説明】
【技術分野】
【０００１】
本発明は、複数枚のティシュペーパーからなる束を収納箱に収納したティシュペーパー収納体に関する。
【背景技術】
【０００２】
複数枚のティシュペーパーからなる束を収納箱内に収納し、その収納箱（カートン箱或いはカートンとも称される）の上面に設けられた取出口からポップアップ式に引き出して使用するティシュペーパー収納体が知られる。このティシュペーパー収納体は、一般的に一箱に二枚一組（２プライ）とされたティシュペーパーが１５０〜２２０組と多数収納されており、ティシュペーパーを全て使い切るために数週間から数か月程度の比較的長期間を要する。また、ティシュペーパー収納体は、ティシュペーパーをすぐに利用できるように室内の目に付くところに置かれて使用される。
【０００３】
このため、ティシュペーパー収納体は、インテリアデザインと調和しやすい外観であることが望まれ、収納箱の外面には、種々の模様印刷が施される。
【０００４】
しかし、インテリアデザインのコンセプトは居住者や生活者等、その空間を使用する者の趣味や好みによって細かく異なる。従来のティシュペーパー収納体の模様や柄、色彩は、このような細分化されたインテリアデザインに対応するものではなく、また、そのような模様や柄、色彩は、印刷により施されているため変更することが難しい。
【０００５】
また、インテリアデザインを統一的なものとするために、室内で使用する種々の物や製品をデコレートしたり、色彩や柄を統一するよう着色等したりすることが行われることがあるが、ティシュペーパー収納体は、上記のとおり色柄等の外観デザインの変更が難しく、統一されたインテリアデザインにおいて、違和感を与えやすいものであった。
【０００６】
ティシュペーパー収納体においては、下記特許文献１（特開２０１０−１５５６１９号公報）において、収納箱外面にフィルムシートを積層して、その積層部分に水性ペン等によって情報を記入できるようにしたものが知られるが、インテリアに調和させやすいものではなかった。また、このフィルムシートを貼付したものや、収納箱の外表面がコートボール紙の地そのものである従来収納体は、鉛筆や色鉛筆等の鉛筆芯を有する筆記具によっては筆記や着色がし難かった。
【０００７】
他方で、ティシュペーパー収納体は、日常的に使用されるため使用しやすく低価格であることが求められ、また、製造設備を改良することなく製造がしやすいことも求められる。
【先行技術文献】
【特許文献】
【０００８】
【特許文献１】特開２０１０−１５５６１9
【発明の概要】
【発明が解決しようとする課題】
【０００９】
そこで、本発明の主たる課題は、インテリアと調和させやすく、さらに製造しやすく使用しやすいティシュペーパー収納体を提供することにある。
【課題を解決するための手段】
【００１０】
上記の課題を解決した第一の手段は、
底面部、取出口が形成される天面部、一対の長側面部及び一対の短側面部を有する直六面体の収納箱内に、複数のティシュペーパーの束が収納されているティシュペーパー収納体であって、収納箱外面にマットニスの塗布による粗面化部とグロスニスの塗布による平坦化部とを有する、ことを特徴とするティシュペーパー収納体である。
【００１１】
第二の手段は、マットニスが塗布された部分の上にグロスニスが塗布された平坦化部を有する上記第１の手段のティシュペーパー収納体である。
【００１２】
第三の手段は、グロスニスが模様印刷された平坦化部を有する上記第一又は第二の手段に係るティシュペーパー収納体である。
【００１３】
第四の手段は、平坦化部及び粗面化部は収納箱原紙の地色が視認可能である上記第一〜第三に係るティシュペーパー収納体である。
【００１４】
第五の手段は、底面部に平坦化部を有する上記第一〜第四に係るティシュペーパー収納体である。
【００１５】
第六の手段は、各短側面部、底面部及び一方の長側面部に平坦化部を有する上記第一〜第五に係るティシュペーパー収納体である。
【００１６】
第七の手段は、天面部における短側面部との間の稜線から５ｃｍ以内の領域の６０％以下の範囲、及び前記一方の長側面部と対になる他方の長側面部であって短側面部との間の稜線から５ｃｍ以内の領域の６０％以下の範囲が平坦化部とされている、上記第六の手段に係るティシュペーパー収納体である。
【００１７】
第八の手段は、収納箱の各面部間の稜線に沿って平坦化部が配されている上記第一〜第七の手段に係るティシュペーパー収納体である。
【発明の効果】
【００１８】
本発明によれば、インテリアと調和させやすく、さらに製造しやすく使用しやすいティシュペーパー収納体が提供される。
【図面の簡単な説明】
【００１９】
【図１】本発明に係るティシュペーパー収納体の斜視図である。
【図２】本発明に係るティシュペーパー収納体の構造を説明するための一部分解の斜視図である。
【図３】本発明に係るティシュペーパー収納体の使用時の斜視図である。
【図４】本発明に係るティシュペーパー収納体の断面図である。
【図５】本発明に係るティシュペーパー収納体の収納箱の展開図である
【図６】本発明に係るティシュペーパー収納体の収納箱の外表面の拡大概略図である。
【図７】本発明に係るティシュペーパー収納体の収納箱の外表面の他の拡大概略図である。
【図８】本発明に係るティシュペーパー収納体の着色時の斜視図である。
【図９】本発明に係るティシュペーパー収納体の着色時の収納箱の外表面の拡大概略図である。
【図１０】本発明に係る他のティシュペーパー収納体の斜視図である。
【図１１】本発明に係る別のティシュペーパー収納体の斜視図である。
【図１２】本発明に係るさらに他のティシュペーパー収納体の展開図である。
【発明を実施するための形態】
【００２０】
次いで、本発明の実施の形態を図１〜１２を参照しながら以下に詳述する。
【００２１】
本実施形態に係るティシュペーパー収納体１は、複数枚のティシュペーパー２ｔ，２ｔ…が、折り畳まれ積層されてなるティシュペーパー束２が、天面部１１に環状に閉じた部分を有する取出口形成用ミシン目２０が形成された収納箱１に収納され、使用時に取出口形成用ミシン目２０の裂開により形成される取出口２０Ｘからティシュペーパー２ｔを取り出すと、隣接して積層されている下層のティシュペーパー２ｔの一部が取出口２０Ｘから露出される、所謂ポップアップ形式のものである。
【００２２】
ティシュペーパー束２が収納される収納箱１０は、カートン箱やカートンとも呼ばれる直六面体の形状であり、収納体１の外殻をなすものである。この収納箱１０は、上記のとおり天面部１１に取出口２０Ｘを形成するための取出口形成用ミシン目線２０を有しており、またその取出口形成用ミシン目線２０により囲まれる範囲２０ａは、収納箱内側からスリットを有するシート材３１によって覆われている。天面部１１に形成される取出口形成用ミシン目線２０は環状をなし、適宜のカットタイ比で構成されている。取出口形成用ミシン目線２０は、通常のミシン目線の他、二重ミシン目線、ジッパーミシン目線等で構成することができる。一部分のみ二重ミシン目線としてもよい。
【００２３】
本実施形態に係る取出口形成用ミシン目線２０は、収納箱１０の長手方向に延在する長辺２１，２１とこの長辺２１，２１の端同士を繋ぐ短手縁に平行な短辺２２，２２とを有し、取出口形成用ミシン目線２０に囲まれる範囲２０ａの形状は、収納箱１０の長手方向に沿う方向が長い適宜の形状である。一般的には、収納箱１０の長手方向に沿うやや細長い角取り矩形、或いはその矩形の長辺２１，２１の中央部を外方に向かってやや膨張させてアーチ状とし、楕円に近い形状としたものである。図示の形態は後者の例を示している。
【００２４】
他方、本実施形態に係るティシュペーパー収納体１では、上記のとおり取出口形成用ミシン目線２０で囲まれる範囲２０ａが収納箱内面に貼付されたシート材３１によって被覆されている。シート材３１は、取出口形成用ミシン目線２０により囲まれる範囲２０ａより大きく、例えば、矩形や楕円形であり、収納箱天面部の箱内側において、特に取出口形成用ミシン目線２０の切り剥がしに影響がないように、取出口形成用ミシン目線２０に囲まれる範囲２０ａの外側で接着剤４０によって貼付されている。シート材３１におけるスリット３０は、前記取出口形成用ミシン目線２０により囲まれる範囲２０ａで長手方向に沿って位置されており、したがって、特に図１〜図４に示されるように、取出口形成用ミシン目線２０に沿ってその取出口形成用ミシン目線２０で囲まれる範囲２０ａを切り剥がすことにより、天面部１１に取出口２０Ｘが形成されるとともに、前記シート材３１及びスリット３０が取出口２０Ｘを介して露出される。そして、このスリット３０から一枚ずつティシュペーパー２ｔが引き出せるようになる。なおシート材３１は、公知の樹脂製のフィルムや紙が用いられる。
【００２５】
収納箱１０の大きさは、特に限定されないが、公知の多くのティシュペーパー収納体１は長手縁の長さＬ１が１１０〜３２０ｍｍ、短手縁の長さＬ２が７０〜２００ｍｍ、高さＬ３が４０〜１５０ｍｍ程度であり、本実施形態に係る収納箱１０もこの大きさとすることができる。
【００２６】
本実施形態に係る収納箱１０の構造は、特に図２及び図５に示されるように、底面部１２と一方の長側面部１３を糊代部１２Ａで糊付けして筒状とした後、天面部１１、底面部１２及びこれらを連接する長側面部１３から延出する各フラップＦ１，Ｆ２，Ｆ３を箱内面側に折り返し、各フラップＦ１，Ｆ２，Ｆ３の当接部分をホットメルト接着剤等により接着して短側面部１４を構成した構造となっている。特に、本実施形態の収納箱１０は、長側面部１３からのフラップＦ１を折り返し、底面部１２からのフラップＦ２を折り返して前記長側面部１３からのフラップＦ１に重ね、さらに天面部１１からのフラップＦ３を折り返して、底面部１２からのフラップＦ２に重ねるようにして短側面部１４が形成されている。但し、収納箱１０は、この構造に限定されるわけではない。
【００２７】
収納箱１０に用いられるカートン原紙とも称される収納箱原紙３は、バージンパルプ、古紙パルプ等の各種のパルプ繊維を主原料とする、坪量２５０〜５００ｇ／ｍ2のコートボール紙を基材としたものが挙げられる。
【００２８】
ここで、本実施形態に係るティシュペーパー収納体１は、特徴的に収納箱外面にマットニスの塗布による粗面化部４１とグロスニスの塗布による平坦化部４２とを有する。粗面化部４１及び平坦化部４２は、組み立て前の収納箱原紙、カートンブランク、組み立て後の収納箱に対して印刷装置や塗布装置によって、マットニスやグロスニスを塗布することで形成することができる。マットニスとグロスニスとは同時に付与してもよいし、別々に付与してもよい。マットニス及びグロスニスの塗布量は限定されるものではなく、マットニス及びグロスニスの粘度等に応じて適宜に調整すればよい。
【００２９】
この本発明に係る粗面化部４１は、少なくともＪＩＳ規格に基づく硬度２Ｈより柔らかい鉛筆、鉛筆芯を用いた筆記具及びＪＩＳ規格に基づく硬質より柔らかい色鉛筆、色鉛筆芯を用いた筆記具によって着色、筆記が可能な部分となっている。粗面化部４１は、収納箱原紙であるコートボール紙の地の表面よりも表面粗度が高められた部分であり、光散乱によってマット調に視認される。粗面化部４１における具体的な表面粗度は限定されない上記のとおり鉛筆等による着色及び筆記が可能となる範囲で適宜に定める。また、粗面化部４１を形成するためのマットニスとしては、例えば、セルロース樹脂、スチレン樹脂、アクリル樹脂、ビニル樹脂などの可塑性樹脂を主成分とするバインダー樹脂からなるクリアニスに、シリカ、炭酸カルシウム、炭酸マグネシウム、硫酸バリウム、クレー、珪酸アルミニウム、タルク、カオリン、ホワイトカーボン等の無機粉体、アクリル樹脂、メラミン樹脂、エポキシ樹脂、尿素樹脂、フェノール樹脂、ポリウレタン樹脂などの樹脂ビーズ粉体、ポリエチレンワックス、ポリプロピレンワックス等のワックス粉体等のフィラーを混入させたものが挙げられる。フィラーの平均粒子径は、例えば、０.１〜１００μｍであり、収納箱の素材となる収納箱原紙に応じて適宜に選択することができる。
【００３０】
従来の粗面化部４１を有さないコートボール紙の地の表面や地の表面にグラビア等の模様印刷を行っただけの収納箱は、表面の平滑度が高いため、鉛筆、色鉛筆等による着色や筆記が困難であったり、着色しても色が薄かったりコートボール紙表面の光沢によって視認し難いが、本実施形態のティシュペーパー収納体１は、収納箱１０の外表面に粗面化部４１を設けたことで、使用者がインテリアと調和するように鉛筆や色鉛筆によって模様を描いたり、着色することが容易に行える。特に、粗面化部４１は、鉛筆芯で擦ることで粒子が削れてしっかりと着色され、また、光沢感のないマット調の着色も可能となるため、インテリアデザインとの調和性を高めやすい。
【００３１】
一方、平坦化部４２は、グロスニス由来の光沢感を有し、凹凸が平坦化された部分である。この平坦化部４２は、上記の鉛筆などの鉛筆芯の削れによる着色、筆記が不可能か困難となっている。平坦化部４２を形成するためのグロスニスとしては、水性ニス、ＯＰニス、油性ニスなど可塑性樹脂を主成分とするバインダー樹脂等のニスが挙げられる。
【００３２】
この平坦化部４２は、特に図７に示されるように、収納箱原紙に直接グロスニスを付与して形成することができるほか、図６に示すようにマットニスが塗布された部分の上にグロスニスを塗布して形成することができる。粗面化部４１の表面凹凸をグロスニスが埋めるようにして平坦化部４２が形成される。よって、本発明に係るティシュペーパー収納体１は、マットニスを収納箱原紙や組み立て前のカートンブランクのフラップ部等を除いた広範囲や外表面側の全体に塗布した後に、適宜の箇所に平坦化部４２を配するようにして形成することができる。このようにするとインテリア等に応じて筆記及び着色できる粗面化部４１の範囲を簡易に広範に形成することができる。
【００３３】
本実施形態のティシュペーパー収納体１の収納箱１０は、鉛筆等による着色や筆記が可能な粗面化部４１に加えて、平坦化部４２を設けることで、鉛筆等による筆記や着色を意図的に不可能又は困難とする部分を有する。また、平坦化部４２は、粗面化部４１や収納箱原紙よりも表面が平坦であるため、手や載置面に対する接触面積が広く防滑性が高まる。さらに、平坦化部４２は、粗面化部４１よりも塵等が付着しがたくなるため防汚性が高まる。さらに、平坦化部４２は光沢感があり、また光加減によって視認性に強弱ができるため、平坦化部４２によって柄や模様などを付与することもできる。これら平坦化部４２の特徴から、ティシュペーパー収納体１の製造時に製造機器に触れて汚れが付きやすい部分や、手で掴む部分、底面等に平坦化部を設けることで、製造しやすく使用しやすいものとすることができる。また、デザインとの調和をさせやすいものとすることができる。
【００３４】
ここでグロスニスによる平坦化部４２は、適宜の位置及び範囲に形成することができるが、次の第一から第四の態様に示すような位置、範囲等にするのが望ましい。もちろん、可能な範囲で第一から第四の態様が重複する態様であってもよい。
【００３５】
すなわち、第一の態様は、特に図１〜図３及び図８に示されるように、平坦化部４２を柄や模様が描かれるように配した態様である。平坦化部４２はグロスニスによるものであるため光沢感があり、また光加減によって視認性に強弱ができるため、平坦化部４２によって柄や模様が描かれるように配すると光沢感によるデザイン性が付与される。また、特に図８に示すようにマットニスを外表面側全体に付与し、重ねてグロスニスにより模様印刷をして平坦化部４２を設けたもののように、マットニスが塗布された部分の上にグロスニスを塗布して平坦化部４２が形成されたものであって平坦化部４２を柄、模様を描くように印刷等によって配したものとすると、特に図８及び図９に示すように、平坦化部４２上及びその近傍６０Ａを鉛筆等によって擦るようにすると平坦化部４２が着色されずに、その周囲の粗面化部４１のみが顔料等６１が付着して着色されるため、平坦化部４２が模様として浮き出るようになるとともに、その周囲を含む部分が使用者の望む色に着色され、印刷による精細な柄や模様を有しつつインテリアデザインと調和しやすい色に着色されるものとなる。
【００３６】
なお、粗面化部４１及び平坦化部４２は、着色されていてもよいが、インテリアデザインや好みに応じて使用者が任意の色に着色しやすいほうが望ましいことから、無色透明又は白色であるのが望ましい。なお、ここでの白色とはＩＳＯ白色度（ＵＶＩＮ）が少なくとも６５％以上であることをいう。但し、好ましくは７５％以上である。粗面化部４１及び平坦化部４２を無色透明や白色にするには、無色透明か白色のグロスニスやマットニスを使用すればよい。また、特に無色透明とする場合には、平坦化部及び粗面化部において収納箱原紙の地色が視認可能となる。この場合は、粗面化部４１及び平坦化部４２を白色にするのと同様の理由により、収納箱原紙の地色が白色であることが望ましい。但し、本発明に係るティシュペーパー収納体１における粗面化部４１及び平坦化部４２は白色以外に着色されていてもよい。粗面化部４１及び平坦化部４２は白色以外とするならば、インキを含む着色されたグロスニスとマットニスを用いて粗面化部４１と平坦化部４２と形成すればよい。また、収納箱原紙の地色が白色以外であってもよい。白色の色鉛筆によって白色に着色するようにしてもよい。収納箱にはマットニスやグロスニス以外の通常の模様印刷があってもよいが、インテリアデザインと調和しやすい程度に留めるのが望ましい。少なくとも、視認されやすい天面部１１の裂開用ミシン目線で囲まれる範囲２０ａを除く範囲と一方の長側面部１２においては、模様印刷の範囲が８０％以下となるようにするのが望ましい。また、視認されやすい天面部１１の裂開用ミシン目線で囲まれる範囲２０ａを除く範囲と一方の長側面部１２においてはカートン原紙３の地色を白色とするのが望ましい。
【００３７】
第二の態様は、図１０に示すように、収納箱１０の底面部１２に平坦化部４２を配した態様である。ティシュペーパー収納体１は、通常、底面部１２を底にして使用される。底面部１２に平坦化部４２があると載置する面との接触面積が高まりティシュペーパー収納体１の防滑性が高まって使用しやすいものとなる。このように底面部１２に平坦化部４２を設ける場合には、底面部の５０％以上の範囲、好適には８０％以上の範囲、特に好適には９０％以上の範囲とするのが望ましい。平坦化部４２が広範にあるほうが防滑性が高まる。また、底面部は、上記のとおり底となって使用時に視認できない部分であるため粗面化部４１を配して、着色や筆記による効果が極めて小さい。よって、広範囲に平坦化部４２を配して防滑性を高めるようにするのがよい。
【００３８】
第三の態様は、図１１に示すように、収納箱１０の各面部間の稜線５１，５２，５３に沿って平坦化部４２を配した態様である。ティシュペーパー収納体１を手に持つ際には、収納箱１０の稜線５１，５２，５３を掴むことが多い。また、特に粗面化部４１を鉛筆等で着色した場合には、粉体となった鉛筆芯等由来の顔料が粗面化部４１に付着している状態であるため、ティシュペーパー収納体１を手に持つ際には、その鉛筆芯由来の粉が手に付着しないよう、稜線５１，５２，５３を掴んだほうが望ましい。よって、防滑性が高まる平坦化部４２が、収納箱１０の各面部間の稜線５１，５２，５３に沿って配されていると、ティシュペーパー収納体１を掴んだ際に滑り落としがたいものとなる。なお、この場合、全ての稜線５１，５２，５３に配する必要はなく、例えば、底面部１２を底として使用する態様においては、掴みがたい部分となる、底面部１２と短側面部１４及び長側面部１３との間の稜線５３は、平坦化部４２を設けないようにしてもよい。
【００３９】
第四の態様は、図１２に示すように、各短側面部１４、底面部１２、長側面部１３の一方に平坦化部４２を配した態様である。いずれの長側面部１３とするかについては、一般的な図１２に示す展開構造の収納箱であれば糊代部１２Ａと接着される側の長側面部１３とするのが望ましい。これらの部分は、ティシュペーパー収納体１の製造時、搬送時に製造装置や搬送装置と接触しやすい部分である。例えば、短側面部１４は、フラップＦ１、Ｆ２、Ｆ３を封止して構成されるためフラップ封止装置と接触し、底面部１２及び長側面部１３のうちの一方は、製造時等にベルトコンベアに載置して搬送する過程で当該ベルトコンベアと接触するようになる。また、糊代部１２Ａと接着される側の長側面部１３は、製箱のための折り曲げ時に装置と接触する。したがって、これらの部分に平坦化部４２を配して防滑性を高めるとともに、粗面化された塵や汚れが付きやすい粗面化部４１の範囲を狭くするのが望ましい。汚れ等が着きがたく、また目立ち難くなる。なお、天面部１１は、粗面化部４１を設けるのが望ましいことから、平坦化部４２は、短側面部との間の稜線から５ｃｍ以内の領域の６０％以下の範囲とするのが望ましい。また、上記一方の長側面部１３においては、全面的に平坦化部４２としてもよいが、その場合は対となる他方の長側面部については、短側面部１４との間の稜線から５ｃｍ以内の領域の６０％以下の範囲を平坦化部４２とするのが望ましい。なお、収納箱１０に平坦化部４２や粗面化部４１とは別に地の模様印刷等による模様を設けるのであれば、各短側面部１４、底面部１２、平坦化部４２を配する上記一方の長側面部１３に多く配するのが望ましい。模様があると汚れが目立ち難くなる。
【００４０】
一方、上記のとおりティシュペーパー収納体１は、天面部１１に取出口２０Ｘを形成するための取出口形成用ミシン目線２０を有しており、またその取出口形成用ミシン目線２０により囲まれる範囲２０ａは、収納箱内側からスリットを有するシート材３１によって覆われている。この取出口形成用ミシン目線２０により囲まれる範囲２０ａは、使用開始時に切剥がして廃棄する部分であるため、この取出口形成用ミシン目線２０により囲まれる範囲２０ａに、ティシュペーパー収納体１の特徴に関する情報を記載するのが望ましい。例えば、鉛筆等で筆記や着色が可能である旨の使用に関する文字情報を印刷等によって設けるのが望ましい。なお、取出口形成用ミシン目線２０により囲まれる範囲２０ａは、グロスニスを配して平坦化部４２として汚れが付着しないようにするのが望ましい。
【００４１】
他方、本実施形態に係るティシュペーパー束２の構成をより具体的に説明すると、本実施形態に係るティシュペーパー束２は、方形のティシュペーパー２ｔが実質的に二つ折りされ、その折り返し片の縁が上下に隣接するティシュペーパーの折り返し内面に位置するようにして、互い違いに重なり合いつつ積層されているものである。なお、ここで実質的にとは、製造上形成される縁部の若干の折り返しを許容する意味である。
【００４２】
この積層構造のティシュペーパー束２は、最上位に位置する一枚の折り返し片を上方に引き上げると、その直下で隣接する他の一枚の折り返し片が、摩擦により上方に引きずられて持ち上げられる。
【００４３】
そして、本実施形態のティシュペーパー収納体１では、かかる構造のティシュペーパー束２は、その最上面が上述の天面部１１に取出口２０Ｘを有する収納箱１０の当該上面に向かいあって収納され、前記取出口２０Ｘから最初の一組（最上面に位置する一組）が引き出されたときに、その直近下方に位置する他の一組の一部が露出される。なお、本実施形態におけるティシュペーパー２ｔの積層枚数は限定されないが、この種の製品の一般的な積層枚数を例示すれば、１２０〜２４０組である。このティシュペーパー束２は、マルチスタンド式、ロータリ式の既知のインターフォルダにより製造することができる。
【００４４】
ティシュペーパー束２を構成するティシュペーパー２ｔは、２枚〜３枚の薄葉紙が積層されたプライ構造を有する。
【００４５】
他方、本実施形態に係るティシュペーパー２ｔを構成する薄葉紙の原料パルプとしては、ＮＢＫＰ（針葉樹クラフトパルプ）とＬＢＫＰ（広葉樹クラフトパルプ）とを配合したものであり、適宜古紙パルプが配合されていてもよいが、風合いなどの点で、ＮＢＫＰとＬＢＫＰのみから構成されているのがよい。その場合配合割合としては、ＮＢＫＰ：ＬＢＫＰ＝２０：８０〜８０：２０がよく、特に、ＮＢＫＰ：ＬＢＫＰ＝３０：７０〜６０：４０が望ましい。
【００４６】
本発明に係るティシュペーパー２ｔの各プライを構成する薄葉紙１枚あたりの米坪は、好ましくは１０〜２５ｇ／ｍ2、より好ましくは１１〜１６ｇ／ｍ2である。米坪が１０ｇ／ｍ2未満では、柔らかさの向上の観点からは好ましいものの、使用に耐えうる十分な強度を適正に確保することが困難となる。逆に米坪が２５ｇ／ｍ2を超えると紙全体が硬くなるとともに、ゴワ付き感が生じてしまい肌触りが悪くなる。なお、米坪は、ＪＩＳ Ｐ ８１２４（１９９８）の米坪測定方法による。
【００４７】
他方、本発明に係るティシュペーパー２ｔの紙厚は、１００〜１８０μｍ、より好ましくは１２０〜１４０μｍであるのが望ましい。なお、ティシュペーパー２ｔが複数プライの場合は、複数プライで測定する。紙厚が１００μｍ未満では、柔らかさの向上の観点からは好ましいものの、ティシュペーパー２ｔとしての強度を適正に確保することが困難となる。また、１８０μｍ超では、ティシュペーパー２ｔの肌触りが悪化するとともに、使用時にゴワツキ感が生じるようになる。
【００４８】
なお、紙厚及びシート材３１，３２，３３の厚みの測定方法は、試験片をＪＩＳ Ｐ ８１１１（１９９８）の条件下で十分に調湿した後、同条件下でダイヤルシックネスゲージ（厚み測定器）「ＰＥＡＣＯＣＫ Ｇ型」（尾崎製作所製）を用いて測定するものとする。具体的には、プランジャーと測定台の間にゴミ、チリ等がないことを確認してプランジャーを測定台の上におろし、前記ダイヤルシックネスゲージのメモリを移動させてゼロ点を合わせ、次いで、プランジャーを上げて試料を試験台の上におき、プランジャーをゆっくりと下ろしそのときのゲージを読み取る。このとき、プランジャーをのせるだけとする。プランジャーの端子は金属製で直径１０ｍｍの円形の平面が紙平面に対し垂直に当たるようにし、この紙厚測定時の荷重は、約７０ｇｆである。なお、厚みは測定を１０回行って得られる平均値とする。
【００４９】
（試験例）
本発明に係る平坦化部と粗面化部について汚れの付着性及び着色性について試験した。
【００５０】
試験試料は、米坪３７１ｇ／ｍ2のコート白ボール紙（ＩＳＯ白色度（ＵＶＩＮ）７４％）にＵＶマットニスを塗布したもの、油性マットニスを塗布したもの、ＵＶグロスニスを塗布したもの、油性グロスニスを塗布したものとした。試料の大きさは、３５ｍｍ×５０ｍｍとした。これらの試料に対して、色素（共立食品株式会社製、食品添加物着色料製剤 赤）を付着させたティシュペーパー (大王製紙株式会社製  エリエールティシュー１８０組  ２プライ)を四つ折りして、１５０ｇｆで２０回擦りつけた (なお１往復1回と測定した)。
【００５１】
ティシュペーパーへの色素の付着は、色素０．００１５ｇをティシュペーパーに載せ、色素を載せた面を、米坪３７１ｇ／ｍ2のコート白ボール紙（ＩＳＯ白色度（ＵＶＩＮ）７４％）に５回擦りつけて色素をなじませるようにした（なお１往復を１回とする）。
【００５２】
試料に対する２０回の擦りつけの後、色素の付着している面積を画像処理ソフトＩｍａｇｅＪ（アメリカ国立衛生研究所開発）にて測定した。
【００５３】
結果、ＵＶマットニスを塗布した試料は、２３８.９ｍｍ2の範囲で付着が確認され、油性マットニスを塗布した試料は、１７７．９ｍｍ2の範囲で付着が確認された。一方、ＵＶグロスニス及び油性グロスニスを塗布した試料は、色素の付着が見られなかった。つまり、マットニスによる粗面化部は、着色が可能であるとともに、グロスニスによる平坦化部は、色素の付着がなく汚れも付着しない部分であることが確認された。
【符号の説明】
【００５４】
１…ティシュペーパー収納体、２…ティシュペーパー束、２ｔ…ティシュペーパー、３…基材（カートン原紙）、１０…収納箱、１１…天面部、１２…底面部、１２Ａ…糊代部、  １３…長側面部、１４…短側面部、２０…取出口形成用ミシン目線、２０Ｘ…取出口、２０ａ…裂開用ミシン目線で囲まれる範囲（取出口形成部）、２１…取出口形成用ミシン目線の長辺、２２…裂開用ミシン目線の短辺、３０…スリット、３１…シート材、Ｆ１…長側面部から延在するフラップ、Ｆ２…底面部から延在するフラップ、Ｆ３…天面部から延在するフラップ、４０…接着剤、４１…粗面化部、４２…平坦化部、Ｌ１…収納箱の長手縁の長さ、Ｌ２…収納箱の短手縁の長さ、Ｌ３…収納箱の高さ、５１〜５３…稜線、６０Ａ，６０Ｂ…鉛筆等による着色範囲、６１…顔料等。
【図１】
2019163081.tif 000003
【図２】
2019163081.tif 000004
【図３】
2019163081.tif 000005
【図４】
2019163081.tif 000006
【図５】
2019163081.tif 000007
【図６】
2019163081.tif 000008
【図７】
2019163081.tif 000009
【図８】
2019163081.tif 000010
【図９】
2019163081.tif 000011
【図１０】
2019163081.tif 000012
【図１１】
2019163081.tif 000013
【図１２】
2019163081.tif 000014